(57)【特許請求の範囲】
【請求項１】
電動機の回転力により投入ばねにばね力を蓄勢し、この投入ばねのばね力により遮断器の投入、引外しを行う遮断器の操作装置において、
電動機の回転力により投入ばねにばね力を蓄勢する、一方方向にのみ回転するラチェットと、
前記ラチェットに取付けられ機枠に回転できるように支持された操作軸と、
機枠に回動しうるように取付けられ前記投入ばねの蓄勢状態を保持し電磁石の操作により投入ばねのばね力を放勢する蓄勢第１ラッチと、
遮断器の可動接触子を開閉路する駆動レバーに取付けられたキャッチレバーと、
前記蓄勢第１ラッチに設けたローラに係合し投入ばねの蓄勢状態を保持する蓄勢カムフロアおよび前記キャッチレバーに設けたローラに係合しキャッチレバーを介して駆動レバーに投入ばねのばね力を伝達する投入カムフロアを同一面上に形成し前記操作軸に取付けたカムとを具えたことを特徴とする遮断器の操作装置。
【発明の詳細な説明】
【０００１】
【産業上の利用分野】
本発明は、遮断器を電動操作で開閉操作する遮断器の操作装置に関するものである。
【０００２】
【従来の技術】
従来の遮断器の操作装置は、図５に示すように電動機４５にて偏心回転する偏心車４６が揺動レバー４７を揺動させ、揺動レバーに設けたワンウェイクラッチ４８を介して枠４９に支架された軸５０が一方向へのみ回転する。この軸５０に軸着された偏心車５１が偏心回転をし、この偏心車５１と係合する揺動レバー５２が揺動する。この揺動レバー５２に軸支された爪５３がばね５４の付勢により爪車５５を一爪毎に送り、枠４９にワンウェイクラッチ５６を介して支架された操作軸５７を半回転させ、この操作軸５７の半回転により投入ばね５８にばね力が蓄勢される。
投入ばねの蓄勢が完了すると、蓄勢ラッチカム５９にばね６０にて付勢された投入フック６１が係合して操作軸５７の逆回転を防止する。この操作軸に取付けた半回転検出カム６２がスイッチ６３を切操作して電動機４５の駆動を停止させる。
いま、投入指令があると、投入電磁石６４が励磁されプランジャ６５を突出させて投入フック６１を反時計方向に回転させる。この投入フックの回転により蓄勢ラッチカム５９との係合が解かれ、操作軸５７が投入ばね５８の放勢によって逆回転をし、操作軸５７に軸着した投入カム６６が回転してリンク機構６７の屈折部にあるローラ６８をストッパー６９側へ移動させる。固定軸７０にて支架されたリンク機構６７が屈折状態から略直線状態に伸長して操作杆７１を軸７２を中心として回動させ、遮断ばね７３の力に抗して絶縁ロッド７４および可動ロッド７５を押し、遮断器７６の可動接触子を固定接触子に接触させて投入操作が完了する。
つぎに、遮断指令により、引き外し電磁石７７が励磁されると、ブランジャ７８が突出して引外しフック７９をばね８０のばね力に抗して回動させる。この引外しフックに接触していたローラ８１を脱落をさせて、リンク機構６７が直線状からジグザグ状に崩れ、遮断ばね７３のばね力により操作杆７１が回動し、絶縁ロッド７４及び可動ロッド７５を引くので遮断器７６の可動接触子が固定接触子から開離して遮断操作が完了する。
なお、操作軸５７が投入操作のために蓄勢方向とは逆方向に半回転をして停止すると、検出カム６２とスイッチ６３の関係によって電動機４５は再び駆動されて投入ばね５８に蓄勢動作が開始するようになっている。
【０００３】
【発明が解決しようとする課題】
しかしながら、このような従来の遮断器の操作装置は、多数個の精密な部品とこれらの精密な部品が関連動作するために組立て作業が煩雑となる。また、投入カム６６と蓄勢ラッチカム５９を別個のカムで構成し、操作軸５７に軸方向に併設して取付けているため、投入カム６６と蓄勢ラッチカム５９との作動位置がずれて所定の投入ばね力を得られず、遮断器の可動電極の投入速度がばらつく欠点があった。
本発明は、投入カムのカムフロアと蓄勢ラッチのカムフロアとを同一面上に形成したカムを設け、遮断器の可動電極の投入速度のばらつきをなくすることを目的とする。
【０００４】
【課題を解決するための手段】
上記の目的を達成するために、電動機の回転力により投入ばねにばね力を蓄勢し、この投入ばねのばね力により遮断器の投入、引外しを行う遮断器の操作装置において、電動機の回転力により投入ばねにばね力を蓄勢する、一方方向にのみ回転するラチェットと、前記ラチェットに取付けられ機枠に回転できるように支持された操作軸と、機枠に回動しうるように取付けられ前記投入ばねの蓄勢状態を保持し電磁石の操作により投入ばねのばね力を放勢する蓄勢第１ラッチと、遮断器の可動接触子を開閉路する駆動レバーに取付けられたキャッチレバーと、前記蓄勢第１ラッチに設けたローラに係合し投入ばねの蓄勢状態を保持する蓄勢カムフロアおよび前記キャッチレバーに設けたローラに係合しキャッチレバーを介して駆動レバーに投入ばねのばね力を伝達する投入カムフロアを同一面上に形成し前記操作軸に取付けたカムとを具えている。
【０００５】
【作用】
投入カムのカムフロアと蓄勢第１ラッチカムのカムフロアとの作動位置がずれることなく投入ばねにばね力を蓄勢状態に保持でき、電磁石の操作により投入ばねのばね力を放勢することができる。
【０００６】
【実施例】
本発明を図に示す実施例について説明する。
図１は遮断器の操作装置の正面図、図２はキャッチ機構を示す構成図、図３は投入ばね蓄勢時のキャッチ機構を示す構成図、図４は遮断器が閉路時のキャッチ機構を示す構成図である。
図において、１は機枠、２は機枠１に回動しうるように取付けた操作軸、３は機枠１に回動しうるように取付けた作動軸で、スプロケット４および偏心カム５が取付けてある。６は機枠１に固定した電動機で、減速機構を介しその出力軸にスプロケット７を設けてある。このスプロケット７と作動軸のスプロケット４とをチェイン８で連結してある。９は機枠に取付けた手動操作軸で、この手動操作軸にスプロケット１０が固定してある。スプロケット１０と作動軸に設けた図示しないスプロケットとをチェイン１１で連結してある。
１２は一端を偏心カム５に取付けた送り爪で、他端の爪を操作軸２に取付けたラチェット１３の歯に係合させてある。１４は一端を機枠に固定した止まり爪で、他端をラチェット１３の歯に係合させ、ラチェットの逆転を防止するようにしてある。１５は操作軸２に取付けたカムで、同一面上に蓄勢ラッチカムフロア１５ｂと投入カムフロア１５ａが形成してある。１６は機枠に回動しうるように取付けた蓄勢第１ラッチで、板面に前記蓄勢ラッチカムフロア１５ｂに係合するローラー１６ａと、後記蓄勢第２ラッチ１７に係合するローラー１６ｂと、前記操作軸２に設けた後記カム２６に係合するローラー１６ｃが設けてある。１７は回動しうるよう機枠に取付けた蓄勢第２ラッチで、一方にカムフロア１７ａを設け、このカムフロアに前記蓄勢第１ラッチ１６のローラー１６ｂを係合させ、他方に作動腕１７ｂが設けてある。
１８はラチェット１３に取付けた支持具で、この支持具に後記投入バネ２３の一端を固定し、支持具の外面１８ａに電動機６を運転指令するリミットスイチ２７の作動レバーに係合するように構成してある。１９は前記操作軸と同一軸心に設けた図示しない駆動軸に固定した駆動レバーで、この駆動レバーの回動により駆動軸を介して遮断器の可動接触子を固定接触子に接離するように構成してある。２０は前記駆動レバー１９に回動しうるようにピン１９ａで取付けられたキャッチレバーで、板面に投入カムフロア１５ａに係合するローラー２０ａと、後記投入第１ラッチ２１の切欠部２１ｂに係合するローラー２０ｂが設けてある。
２１は機枠に回動しうるように設けた投入第１ラッチで、側面に円弧状のカムフロア２１ａを設け、このカムフロアの端部に切欠部２１ｂを形成し、この切欠部に前記キャッチレバー２０のローラー２０ｂに係合するように構成してある。投入第１ラッチの板面にローラー２１ｃが設けてある。２２は機枠に回動しうるように設けた投入第２ラッチで、一方に投入第１ラッチのローラー２１ｃに係合するカムフロア２２ａと、他方に後記引外し電磁石２５の可動部に係合する作動腕２２ｂが設けてある。
２３は投入ばねで、一端を機枠に固定し他端を支持具１８に取付けてある。２４は機枠に固定した投入電磁石で、この投入電磁石の可動部が蓄勢第２ラッチの作動腕１７ｃを作動するようにしてある。２５は機枠に固定した引外し電磁石で、この引外し電磁石の可動部が投入第２ラッチの作動腕２２ｂを作動するように構成してある。２６は操作軸２に固定したカムで、周面にカムフロア２６ａが設けてある。２７はリミットスイッチで、このリミットスイッチの可動部に支持具の外周１８ａが当接してリミットスイチを開閉路し、このリミットスイチを開閉路により電動機を起動、停止させるようにしてある。
このように構成した遮断器の操作装置の動作について説明する。
図３は遮断器の接触子が開路し、遮断ばねが放勢状態で、投入ばねが蓄勢状態を示す。この状態から投入動作の指令があると、投入電磁石２４が励磁され、可動部が下降して蓄勢第２ラッチ１７の作動腕１７ｂを時計方向に回動させ、蓄勢第２ラッチ１７のカムフロア１７ａと蓄勢第１ラッチ１６のローラー１６ｂとの係合が外れ、投入バネ２３のばね力により蓄勢ラッチカムフロア１５ｂが蓄勢第１ラッチ１６のローラー１６ａを押し動かして蓄勢第1ラッチ１６を解錠する。
これにより投入バネの一端を支持具１８を介して固定したラチェット１３を時計方向に回動し、このラチェット１３、操作軸２、カム１５が一体に時計方向に回動する。
カム１５が所定の角度回動すると、カムのカムフロア１５ａがキャッチレバー２０のローラー２０ａを押し動かして駆動レバー１９を時計方向に回動するとともに、ローラー２０ｂが投入第１ラッチ２１のカムフロア２１ａを摺動しながら時計方向に回動する。
駆動レバー１９の回動によりこの駆動レバーに固定した図示しない駆動軸が回動して遮断器の可動接触子を閉路方向に作動する。さらにカム１５が時計方向に回動すると、カムフロア１５ａがキャッチ２０のローラー２０ａを押上げ、キャッチ２０のローラー２０ｂが投入第１ラッチ２１のカムフロア２１ａより切欠部２１ｂに移動して遮断器を閉路状態とするとともに、図示しない遮断ばねにばね力を蓄勢する。このときキャッチレバー２０がピン１９ａを中心として、時計方向に回動し、キャッチレバー２０のローラー２０ｂが投入第１ラッチ２１の切欠部２１ｂと係合し、ローラー２１ｃが投入第２ラッチ２２と係合するので遮断器の閉路状態を保持するとともに、遮断ばねの蓄勢状態を保持する。この状態を図４に示す。
この閉路状態から次の投入動作が出来るように投入ばね２３にばね力を蓄勢するために、リミットスイッチ２７が閉路して電動機６を駆動する。この電動機の駆動により作動軸２が時計方向に回動し、作動軸に設けた偏心カム５が回動する。この偏心カム５に取付けた送り爪１２がラチェット１３の歯を送ってラチェットを時計方向に回動し、このラチェットに一端を取付けた投入ばね２３を圧縮して投入ばねにばね力の蓄勢を開始する。この時、操作軸２に設けたカム２６が蓄勢第１ラッチ１６のローラー１６ｃと転接するので、蓄勢第１ラッチ１６を反時計方向に回動させる図示しない復帰ばねのばね力による蓄勢第１ラッチ１６の反時計方向回動を阻止し、カム１５の投入カムフロア１５ａとローラー１６ａが係合することを阻止している。操作軸が時計方向にさらに回動し、カム１５のカムフロア１５ａが蓄勢第１ラッチ１６のローラー１６ａの位置を通過すると、カム２６の切欠部であるカムフロア２６ａがローラー１６ｃとの転接が解かれ、蓄勢第１ラッチ１６は図示しない復帰ばねのばね力により反時計方向へ回動し、蓄勢ラッチカムフロア１５ｂとローラー１６ａが係合し、ローラー１６ｂと蓄勢第２ラッチ１７のカムフロア１７ａが係合し、投入ばね２３の蓄勢状態を保持し、次の投入動作に備える。
次に図４に示す遮断器の閉路状態から遮断動作をするに、引外し電磁石２５を励磁すると引外し電磁石の可動部が上昇し、投入第２ラッチ２２の作動腕２２ｂを時計方向に回動させ、投入第２ラッチ２２のカムフロア２２ａと投入第１ラッチ２１のローラー２１ｃとの係合が外れ、遮断ばねのばね力によりキャッチレバー２０のローラー２０ｂが投入第１ラッチ２１を押し動かして投入第１ラッチの切欠部２１ｂとローラー２０ｂとの係合が外れ、投入ラッチを解錠する。すると、遮断ばね力により、駆動レバー１９は、反時計方向に所要角回動し、駆動軸を回動させ、遮断器を開路状態とする。
【０００７】
【発明の効果】
本発明は上述のように、遮断器を投入する投入カムフロアと投入ばね蓄勢状態を保持する蓄勢ラッチカムフロアとを１つのカムに設けたので、遮断器の投入位置および投入ばね蓄勢状態の保持位置がずれることなく、常に安定した投入ばね力を得ることが出来、可動電極の投入速度のバラツキがなくなり、部品製作時の位置合わせを行う必要がなくなる。
【図面の簡単な説明】
【図１】  本発明の遮断器操作装置の正面図
【図２】  本発明のキャッチ機構を示す構成図
【図３】  本発明の投入ばね蓄勢時のキャッチ機構を示す構成図
【図４】  本発明の遮断器閉路時のキャッチ機構を示す構成図
【図５】  従来の遮断器操作装置を示す概略構成図
【符号の説明】
１  機枠    ２  操作軸    ３  作動軸    ４、７、１０  スプロケット
５  偏心カム    ６  電動機    ８、１１  チェイン    １２  送り爪
１３  ラチェット    １４  止まり爪    １５  カム
１５ａ  投入カムフロア  １５ｂ  蓄勢カムフロア  １６  蓄勢第１ラッチ
１６ａ、１６ｂ、１６ｃ  ローラー    １７  蓄勢第２ラッチ
１７ａ  カムフロア    １７ｂ  作動腕
１８  支持具    １９  駆動レバー
１９ａ  ピン    ２０  キャッチレバー    ２０ａ、２０ｂ  ローラー
２１  投入第１ラッチ    ２１ａ  カムフロア    ２１ｂ  切欠部
２１ｃ  ローラー    ２２  投入第２ラッチ    ２２ａ  カムフロア
２２ｂ  作動腕    ２３  投入ばね    ２４  投入電磁石
２５  引外し電磁石    ２６  カム    ２６ａ  カムフロア
２７  リミットスイッチ
【図１】
0003780537.tif 000002
【図２】
0003780537.tif 000003
【図３】
0003780537.tif 000004
【図４】
0003780537.tif 000005
【図５】
0003780537.tif 000006